(57)【特許請求の範囲】
【請求項１】
枠材と、上記枠材に内装された内材と、を具備し、上記内材は外側断熱板と内側に位置する内側断熱板とこれら外側断熱板と内側断熱板の間に設置される遮音板との三層構造から構成されていて、
上記枠材は上記外側断熱板が内装される外側枠材と該外側枠材とは別個に設けられ上記内側断熱板が内装される内側枠材とからなり、
上記内側枠材の上記外側枠材側端部には上記遮音板の外周部が挿入される溝が形成されていることを特徴とする外装材。
【請求項２】
請求項１記載の外装材において、
上記外側断熱板と内側断熱板は発泡ウレタン材から構成されていて、上記遮音板は石膏ボードであることを特徴とする外装材。
【請求項３】
請求項２記載の外装材において、
上記枠材は金属製であることを特徴とする外装材。
【請求項４】
請求項３記載の外装材において、
屋根用又は外壁用であることを特徴とする外装材。
【請求項５】
請求項１〜請求項４の何れかに記載の外装材を隣接・配置し、内側に別途構築された梁構造部に連結していくことを特徴とする外装構造。
【請求項６】
請求項５記載の外装構造において、
隣接・配置された外装材の外側断熱板の間には霜除け用枠材が設置されることを特徴とする外装構造。
【発明の詳細な説明】
【技術分野】
【０００１】
本発明は、例えば、各種建築物の外壁材或いは屋根材等として使用される外装材とその外装材を使用した外装構造に係り、特に、断熱機能と遮音機能を向上させることができるように工夫したものに関する。
【背景技術】
【０００２】
この種の外装材の構成を開示するものとして、例えば、特許文献１がある。
【先行技術文献】
【特許文献】
【０００３】
【特許文献１】特開平８−２０９８５３号公報
【発明の概要】
【発明が解決しようとする課題】
【０００４】
上記従来の構成によると次のような問題があった。
すなわち、特許文献１に開示されている外壁材の構成でもある程度の断熱機能と遮音機能を得ることはできるが、さらなる改良が要求されていた。
【０００５】
本発明はこのような点に基づいてなされたものでその目的とするところは、断熱機能と遮音機能のさらなる向上を図ることができる外装材とそのような外装材を使用した外装構造を提供することにある。
【課題を解決するための手段】
【０００６】
上記課題を解決するべく本願発明の請求項１による外装材は、枠材と、上記枠材に内装された内材と、を具備し、上記内材は外側断熱板と内側に位置する内側断熱板とこれら外側断熱板と内側断熱板の間に設置される遮音板との三層構造から構成されていて、上記枠材は上記外側断熱板が内装される外側枠材と該外側枠材とは別個に設けられ上記内側断熱板が内装される内側枠材とからなり、上記内側枠材の上記外側枠材側端部には上記遮音板の外周部が挿入される溝が形成されていることを特徴とするものである。
又、請求項２による外装材は、請求項１記載の外装材において、上記外側断熱板と内側断熱板は発泡ウレタン材から構成されていて、上記遮音板は石膏ボードであることを特徴とするものである。
又、請求項３による外装材は、請求項２記載の外装材において、上記枠材は金属製であることを特徴とするものである。
又、請求項４による外装材は、請求項４記載の外装材において、屋根用又は外壁用であることを特徴とするものである。
又、請求項５による外装構造は、請求項１〜請求項４の何れかに記載の外装材を隣接・配置し、内側に別途構築された梁構造部に連結していくことを特徴とするものである。
又、請求項６による外装構造は、請求項５記載の外装構造において、隣接・配置された外装材の外側断熱板の間には霜除け用枠材が設置されることを特徴とするものである。
【発明の効果】
【０００７】
以上述べたように本願発明の請求項１による外装材によると、本願発明の請求項１による外装材は、枠材と、上記枠材内に内装された内材と、を具備し、上記内材は外側断熱板と内側に位置する内側断熱板とこれら外側断熱板と内側断熱板の間に設置される遮音板との三層構造から構成されているので、高い断熱機能と遮音機能を得ることができる。
又、請求項２による外装材は、請求項１記載の外装材において、上記外側断熱板と内側断熱板は発泡ウレタン材から構成されていて、上記遮音板は石膏ボードであるので、上記効果をより確実なものとすることができる。
又、請求項３による外装材は、請求項２記載の外装材において、上記枠材は金属製であるので、十分な機械的強度を得ることができる。
又、請求項４による外装材は、請求項３記載の外装材において、屋根用又は外壁用であるので、断熱機能と遮音機能に優れた屋根又は外壁を提供することができる。
又、請求項５による外装材は、請求項１〜請求項４の何れかに記載の外装材を隣接・配置し、内側に別途構築された梁構造部に連結していくことにより構成されているので、比較的簡単な作業によって所望の外装構造を得ることができる。
又、請求項６による外装材は、請求項４記載の外装構造において、隣接・配置された外装材の外側断熱板の間には霧除け用枠材が設置される構成になっているので、霧の浸入を効果的に防止することができる。
【図面の簡単な説明】
【０００８】
【図１】本発明の一実施の形態を示す図で、図１（ａ）は外壁材の構成を示す正面図、図１（ｂ）は外壁材の構成を示す平面図である。
【図２】本発明の一実施の形態を示す図で、図２（ａ）は図１（ａ）のａ−ａ線断面図、図２（ｂ）は図１（ａ）のｂ−ｂ線断面図である。
【図３】本発明の一実施の形態を示す図で、図２（ｂ）のＩＩＩ部を拡大して示す一部断面図である。
【図４】本発明の一実施の形態を示す図で、外壁材同士を連結する構造を示す断面図である。
【図５】本発明の一実施の形態を示す図で、外壁材の梁構造部に対する取付状態を示す図である。
【図６】本発明の一実施の形態を示す図で、外壁材の梁構造部に対する取付状態を拡大して示す図である。
【発明を実施するための形態】
【０００９】
以下、図１乃至図６を参照して本発明の一実施の形態について説明する。この一実施の形態は本願発明を外壁材に適用した例を示すものである。本実施の形態による外壁材１は次のような構成になっている。まず、図２及び図３に示すように、本実施の形態による外壁材１は、外側断熱板３と、内側断熱板５と、これら外側断熱板３と内側断熱板５との間に介挿された遮音板７とから構成されていて、これら外側断熱板３と内側断熱板５と遮音板７とによって内材を構成しているものである。上記外側断熱板３と内側断熱板５は、例えば、発泡ウレタン材から構成されている。又、上記遮音板７は、例えば、石膏ボードから構成されている。
【００１０】
上記外側断熱板３と内側断熱板５の外側にはアルミニウム製の化粧板９、１１がそれぞれ取り付けられている。又、上記外側断熱板３の外周部であって上記化粧板９の内側には外側枠材１３が設置されている。又、上記内側断熱板５の外周には内側枠材１５が設置されている。上記外側枠材１３と内側枠材１５は、アルミニウム製であって押し出し成形により構成されている。
【００１１】
図３に示すように、上記外側枠材１３には、外側第１溝１７、外側第２溝１９、外側第３溝２１がそれぞれ形成されている。又、上記内側枠材１５には、内側第１溝２３、内側第２溝２５、内側第３溝２７、内側第４溝２９がそれぞれ形成されている。上記外側第３溝２１と内側第４溝２９との間には樹脂製枠材３１が取り付けられている。又、前述した遮音板７の端部は上記内側第３溝２７内にその外周部が挿入された状態となっている。
【００１２】
次に、隣接・配置された外壁材１同士を連結する構造を説明する。図４は外壁材１、１同士を連結した状態を示す断面図である。まず、外壁材１、１を対向・配置させる。その際、それぞれの外側第２溝１９にはゴム製パッキン３３、３３が装着されている。又、それぞれの内側第２溝２５にもゴム製パッキン３５、３５が装着されている。又、双方の樹脂製枠材３１、３１の間には、ゴム製クッション材３７、３７が介挿されている。上記ゴム製パッキン３３、３３は相互に圧接された状態となっており、同様に、上記ゴム製パッキン３５、３５も相互に圧接された状態となっている。
【００１３】
又、双方の外側第１溝１７、１７には、霧除け用枠材３９が設置されていて、この霧除け用枠材３９の両端にはゴム製パッキン４１、４１が取り付けられている。
【００１４】
次に、上記構成をなす外壁材１の構造物に対する取付構造を図５及び図６を参照して説明する。図５は構造物７１の一部の構成を示す図であり、この構造物７１は、複数本の柱材７３と、これら柱材７３相互間に設置された梁構造部７５を備えた構成になっている。上記梁構造部７５は、上側フレーム７７と、下側フレーム７９と、これら上側フレーム７７と下側フレーム７９との間に設けられたトラス構造部８１とから構成されている。
【００１５】
そして、本実施の形態による外壁材１は上記梁構造部７５に取り付けられる。すなわち、図６にも示すように、外壁材１の内側枠材１５には取付用Ｌ型材（アングル材）８１、８１（例えば、上下左右２個ずつ）が取り付けられている。上記外壁材１は、これら取付用Ｌ型材８１、８１を介して上記梁構造部７５に取り付けられるものである。
【００１６】
上記取付用Ｌ型材８１の外壁材１への取付であるが、これは、内側枠材１５の内側第２溝２３内の適所に図示しないナットを配置し、そのナットとボルト８３を螺合させることにより、上記取付用Ｌ型材８１を外壁材１の内側枠材１５に取り付けるものである。
【００１７】
以上本実施の形態によると次のような効果を奏することができる。
まず、外壁材１が外側に位置している外側断熱板３と、内側に位置している内側断熱板５と、これら外側断熱板３と内側断熱板５との間に設置された遮音板７とから構成されているので、高い断熱機能と遮音機能を得ることができる。
又、樹脂製枠材３１も使用されているので、それによっても断熱機能を発揮することができる。
又、外壁材１、１同士の連結構造も極めて簡単である。
又、霧除け用枠材３９が設置されているので、霧の浸入を効果的に防止することができる。又、ゴム製パッキン３３、３５が二重に配置されているので、それによって、霧等の浸入を効果的に防止することができる。
【００１８】
尚、本発明は前記一実施の形態に限定されるものではない。
例えば、前記一実施の形態の場合には、外壁材を例に挙げて説明したが、屋根材にも適用可能である。
その他、図示した構成はあくまで一例である。
【産業上の利用可能性】
【００１９】
本発明は、例えば、外装材とその外装材を使用した外装構造に係り、特に、断熱機能と遮音機能を向上させることができるように工夫したものに関し、例えば、各種建築物の屋根材や外壁材として好適である。
【符号の説明】
【００２０】
１  外壁材
３  外側断熱板（内材の一部）
５  内側断熱板（内材の一部）
７  遮音板（内材の一部）
９  化粧板
１１  化粧板
【図１】
0005725819.tif 000002
【図２】
0005725819.tif 000003
【図３】
0005725819.tif 000004
【図４】
0005725819.tif 000005
【図５】
0005725819.tif 000006
【図６】
0005725819.tif 000007